(57)【要約】【課題】  縫製作業に際し、必要な下糸ボビンが迅速に選出できること、又保管時において糸のほつれ、からまりを防止できること。【解決手段】  下糸ボビンを複数積み重ねたものが自由に出し入れできる収納ケースを設け、該収納ケースを従来の糸ボビンの上部に結合させる、又保管時には上糸ボビン内に下糸ボビンを収納したケースを上糸ボインの中に収納する。【選択図】図５
0003118818.tif 000002
【実用新案登録請求の範囲】
【請求項１】
下糸ボビンを複数横積みに重ねて収納できるようにした円筒ケースの筒内壁面に弾性の下糸ボビン保持片部を設け、該円筒ケースの前面と後面それぞれに指先幅にて上端より下方まで開き開口部を形成することによりボビン収納ケース本体を構成することを特徴とする下糸ボビン収納装置。
【請求項２】
請求項１記載の下糸ボビン収納装置において、ボビン収納ケース本体を従来の糸ボビン上部に連結してなることを特徴とした下糸ボビン収納装置。
【請求項３】
請求項１記載の下糸ボビン収納装置において、ボビン収納ケース本体を従来の糸ボビンの内部に収納してなることを特徴とした下糸ボビン収納装置。
【考案の詳細な説明】
【技術分野】
【０００１】  本考案は、縫製用の上糸に下糸ボビンを収納したケースを、結合させる事により、同色の上糸と下糸を、一体化して、作業性、保管性の向上を計るものである。
【背景技術】
【０００２】  ミシンが社会に出現してより相当な年数を経過しているが、今日まで市場に流通しているミシン用上糸には、下糸ボビンを連携させる手段、工夫が何等なされていない、そのため縫製作業に際し、同色下糸の選り出しに時間を要している。
又下糸ボビンを雑然と保管しているため糸がほつれ、からまり困惑させている。
【特許文献】  実開平６−４１６８６  特開平１０−３３００４４  特開２０００−１４３０９９  登録実用新案第３０１８８２３号
【考案の開示】
【考案が解決しようとする課題】
【０００３】  ミシンによる縫製作業を開始する場合において、先ず上糸と同じ色の下糸を、ミシンの下糸釜に装入しなければならない、この場合に迅速に下糸を巻いたポビンを選び出す必要がある。
しかし、現実では下糸ボビンが整然と保管できていないため、その選り出しに時間を要している、又乱雑に下糸ボビンを保管しているため糸がほつれ、からまり作業能率を著しく低下させている、このようなため不便、非能率の改善が要望されている。
【考案が解決するための手段】
【０００４】  本考案は、上記問題点を解決するためになされたものであって、下糸を巻回した下糸ボビンを複数、積み重ねて収納したるケースを、上糸を巻回したる上糸の上部に載置又は接着して、上糸と下糸ボビンケースを一体化することにより、下糸ボビンの選出を容易にし、迅速化させる。
業務用の上糸の場合にては、下糸ボビンケースの底面をキャップ状にして、上糸の上部を、このキャップ内に入れ結合させ使用する、縫製作業が終了したる後、上糸を保管する場合は、上糸との内部に下糸ボビンケースを収納させることにより、一体保管させると分離紛失を防止すると共に塵埃の付着防止おも兼ねる。
下糸ボビンケース内に下糸ボビンを収納した場合、下糸ボビンの動揺、脱落を防止するために、ケースの内壁にスポンジのような弾性片を接着し、下糸ボビンを軽く挟持させ、下糸ボビンの動揺、脱落を防止させる、この弾性片はスポンジに限定されるものでなく、コム或いはフエルト、短毛の刷毛状のものにても代用でき、軽く下糸ボビンを挟持できるものなら何を使用しても良いことは勿論である。
【考案の効果】
【０００５】  本案によれば次のような効果が得られる、複数の下糸ボビンが常に上糸に、一体として連結しているため、所在が確定し選り出しの無駄時間を排除することができる。
縫製作業時において、複数の下糸ボビンを収納ケースに収納しているため、下糸ボビンの交換作業が迅速にできる。
下糸ボビンを収納ケース内に収納することにより、糸のほつれ、からまりが防止でき、又保管に際し、塵埃の付着も防止できる。
本案は簡単な構成であるため操作も簡単であり、安価に製造でき故障も発生しない。
【考案を実施するための最良の形態】
【０００６】  前面と後面を大きく截り欠いで開口部を設けた円筒の内壁面に弾性片部を設けて、この中に収納される下糸ボビンを軽く挟み保持するよう構成したものを下糸ボヒン収納ケースとする。
該下糸ボビン収納ケースを上糸の上部に装着して縫製作業時に使用する、又保管時は上糸の内部に下糸ボビン収納ケースを収納して保管する。
【実施例】
【０００７】  以下本考案を図面に基づき詳細に説明する、図１は、本案下糸ボビン収納装置における、ボビン収納ケースの正面斜視図にして、１はボビン収納ケース本体であって、円筒状をなしており、その筒内の直径は下糸ボビンの直径よりやや大きめの程度、大に作られているこの寸法は現在流通している糸ボビンに適合させるための寸法であって、ボビン径が変更になれば当然、このケース直径は変更される。
このボビン収納ケース１の材質としては、金属板又は合成樹脂にての成型が製作容易であり好適である。
２は、円筒状のボビン収納ケース本体１の前面及び後面を深く截り開いた開口部であって、親指と人差し指にて下糸ボビンを横にして挟みボビン収納ケース１内に出し入れできるように、截り開かれている。
３はボビン保持片であって、ボビン収納ケース１の中に入れられた下糸ボビンを。軽く挟み保持し、下糸ボビンの動揺、飛び出し、脱落を防ぐものであるボビン保持片３の材質としてはスポンジが最も好適であるが、軟質のゴム板或いはフエルトのようなスポンジの代用として使用し得るものであれば、何を使用してもよいことは勿論である。
４は底板にして、中心にはミシンの上糸保持棒を通す孔５が設けられている。
図２は、ボビン収納ケース本体１の中に下糸ボビン１０を二個収納し、家庭用の小形上糸ボビン６の上面に接着材７にて接着させた場合の一部切截正面図である。
家庭用ミシンには上糸を保持する棒がミシン本体の上に設けられているため、接着材７にて強いて接着しなくとも、使用可能であるが、接着しない場合は、保管時に分離しているため、使用に際し下糸探しの不便が発生する恐れがある。
本図は下糸ボビン１０を二個収納した場合を示しているが、ボビン収納ケース本体１の高さを高くすれば、下糸ボビン１０の収納数を増加させ得ることは勿論であるが、実用上より考究すれば二個乃至三個収納が最も使い便利な数になるだろう。【０００８】  図３は、ボビン収納ケース本体１の中に下糸ボビン１０が収納されていないものが、小形上糸６の上面に接着材７にて接着させた場合の一部切截正面図である
先願には家庭用の小形上糸の内部に下糸ボビンを一個収納できるようにしたものがあるが、家庭用上糸に収納機能を付加すると使い便利になるとしても、ボビン価格が上昇し糸メーカーは、その負担を克服できず、ために実現は望めない。
本案は、従来の糸ボビンに別個のものを装着させる方式なるため、実施化が容易であり製造も簡単であるため安価にできる。【０００９】  図４は、本案の、ボビン収納ケース本体１の下部にキャップ８を設け、工業用の大形上糸９の上部に、キャップ８を被せた状態の正面図である、この場合大形上糸９の上部に接着材を用いてキャップ８を接着してもよく、又嵌め合いを強くすれば、接着材を使用しなくともキャップ８の連結保持は可能である。【００１０】  図５は、大形上糸９の内部にボビン収納ケース本体１を収納した状態を示す一部切截正面図である。
縫製作業が終了し大形上糸９を保管する場合に、大形上糸９の上分に嵌着したるボビン収納ケース本体１を取り外して大形上糸９の内部に挿し入れる、このようにするとボビン収納ケース本体１は、密閉されるので塵埃の付着もなく清潔な理想的な保管が可能になる。
本考案は、このような実施例に何等限定されるものでなく、本考案の要旨を逸脱しない範囲において種々なる態様にて実施し得るは勿論である。
【産業上の実施可能性】
【００１１】  本考案は、下糸ボビンの収納のみでなく、大形の収納ケースを作れば家庭用の上糸の保管用としても好適に使用できるものである。
【図面の簡単な説明】
【００１２】
【図１】は、本案下糸ボビン収納装置のボビン収納ケース本体１の正面斜視図である。
【図２】は、小形上糸、６の上面に、下糸ボビン１０を収納したボビン収納ケース本体１を結合した場合の一部切截正面図である。
【図３】は、小形上糸、６の上面に、ボビン収納ケース本体１を結合した場合の一部切截正面図である。
【図４】は、ボビン収納ケース本体１の下部にキャップ８を設けたものと、大形上糸９を結合した場合の正面図である。
【図５】は、大形上糸９の内部に、キャップ８を設けたボビン収納ケース本体１を収納した場合の一部切截正面図である。
【符号の説明】
【００１３】１  ボビン収納ケース本体
２  開口部
３  ボビン保持片
４  底板
５  孔
６  小形上糸
７  接着材
８  キャップ
９  大形上糸
１０  下糸ボビン
１１  抑止固定台
１２  切欠
【図１】
0003118818.tif 000003
【図２】
0003118818.tif 000004
【図３】
0003118818.tif 000005
【図４】
0003118818.tif 000006
【図５】
0003118818.tif 000007